(57)【要約】【課題】転送したい楽曲ファイルが、眼前のフォルダ内容の一覧画面において表示されているような情況にあるときでも、楽曲再生装置への転送を容易かつ迅速に行うことができるようにする技術を提供する。【解決手段】記憶手段に記憶されているコンテンツファイルのうち所定のものについて、接続されているコンテンツ再生装置に対する転送を行う転送手段として所定のプログラムにより機能する情報処理装置において、記憶手段に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェース（２１〜２５）を備え、該第１及び第２指示があったとき、該所望コンテンツファイルについて、コンテンツ再生装置に対する転送を行うようにする。【選択図】図２
2008071193.tif 000002
【特許請求の範囲】
【請求項１】
コンテンツファイルを記憶する記憶手段を備え、前記記憶手段に記憶されているコンテンツファイルのうち所定のものについて、接続されているコンテンツ再生装置に対する転送を行う転送手段として所定のプログラムにより機能する情報処理装置であって、
前記記憶手段に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェースを備え、前記転送手段は、該第１及び第２指示があったとき、該所望コンテンツファイルについて、前記コンテンツ再生装置に対する転送を行うものであることを特徴とする情報処理装置。
【請求項２】
前記グラフィカルユーザインタフェースは、前記所望のコンテンツファイルについての前記プログラムのアイコンに対するドラッグアンドドロップ操作により、前記第１及び第２の指示の受入れを行うものであることを特徴とする請求項１に記載の情報処理装置。
【請求項３】
記憶装置に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェースを備えた情報処理装置から転送されてくるコンテンツファイルを受信する受信手段と、
前記受信手段により受信したコンテンツファイルを記憶する記憶手段と、
前記記憶手段において記憶されているコンテンツファイルのうち、指示されたものを再生する再生手段と、
前記情報処理装置における第１及び第２の指示に基づいて転送されてくるコンテンツファイルについては、前記記憶手段において、他のコンテンツファイルとは異なる所定のフォルダに格納する格納手段と、
前記所定フォルダ中のコンテンツファイルのうち、前記再生手段による再生対象とするものの指示を受け入れる指示受入れ手段とを具備することを特徴とするコンテンツ再生装置。
【請求項４】
記憶手段に記憶されているコンテンツファイルのうち所定のものについて、接続されているコンテンツ再生装置に対する転送を行う転送手段としてコンピュータを機能させる第１のプログラム、並びに
前記記憶手段に記憶されている所望のコンテンツファイルについての所定の操作による第１の指示、及びそれに引き続く前記第１プログラムに関連付けられたアイコン又は選択項目についての所定の操作による第２の指示を受け入れるためのグラフィカルユーザインタフェースとして前記コンピュータを機能させる第２のプログラムを具備し、
前記転送手段は、該第１及び第２指示があったとき、該所望のコンテンツファイルについて、前記コンテンツ再生装置に対する転送を行うものであることを特徴とするコンテンツ転送プログラム。
【請求項５】
コンピュータを、
記憶装置に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェースを備えた情報処理装置から転送されてくるコンテンツファイルを受信する受信手段、
前記受信手段により受信したコンテンツファイルを記憶する記憶手段、
前記記憶手段において記憶されているコンテンツファイルのうち、指示されたものを再生する再生手段、
前記情報処理装置における第１及び第２の指示に基づいて転送されてくるコンテンツファイルについては、前記記憶手段において、他のコンテンツファイルとは異なる所定のフォルダに格納する格納手段、及び
前記フォルダ中のコンテンツファイルのうち、前記再生手段による再生対象とするものの指示を受け入れる指示受入れ手段として機能させることを特徴とするコンテンツ再生プログラム。
【請求項６】
コンテンツファイルを記憶する記憶工程と、
所定のプログラムに従い、前記記憶手段に記憶されているコンテンツファイルのうち所定のものについて、接続されているコンテンツ再生装置に対する転送を行う転送工程と、
所定のグラフィカルユーザインタフェースにより、前記記憶工程において記憶された所望のコンテンツファイルについての所定の操作による第１の指示、及びそれに引き続く前記プログラムに関連付けられたアイコン又は選択項目についての所定の操作による第２の指示を受け入れる指示受入れ工程と、
前記指示受入れ工程における前記第１及び第２指示の受入れに応答して、前記所望のコンテンツファイルについて、前記コンテンツ再生装置に対する転送を行う転送工程とをコンピュータにおいて具備することを特徴とするコンテンツ転送方法。
【請求項７】
記憶装置に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェースを備えた情報処理装置から転送されてくるコンテンツファイルを受信する受信工程と、
前記受信工程において受信したコンテンツファイルを記憶装置において記憶する記憶工程と、
前記記憶装置に記憶されたコンテンツファイルのうち、指示されたものを再生する再生工程と、
前記情報処理装置における第１及び第２の指示に基づいて転送されてくるコンテンツファイルについては、前記記憶装置において、他のコンテンツファイルとは異なる所定のフォルダに格納する格納工程と、
前記フォルダ中のコンテンツファイルのうち、再生対象とするものの指示を受け入れる指示受入れ工程とをコンピュータにおいて具備することを特徴とするコンテンツ再生方法。
【発明の詳細な説明】
【技術分野】
【０００１】
本発明は、記憶しているコンテンツファイルをコンテンツ再生装置に転送する情報処理装置、コンテンツ転送プログラム、及びコンテンツ転送方法、並びに前記情報処理装置から転送されてくるコンテンツファイルを受信し、再生するコンテンツ再生装置、コンテンツ再生プログラム、及びコンテンツ再生方法に関する。
【背景技術】
【０００２】
従来、ハードディスクや半導体メモリに楽曲ファイルを記録し、所望の楽曲を選択して再生することができるようにした携帯型の楽曲再生装置が知られている（たとえば、特許文献１参照）。記録する楽曲データとしては、たとえば、パソコンから転送したものが該当する。パソコンから転送する楽曲としては、たとえば、ＣＤのリッピングやインターネットを介したコンテンツ配信サービスによりパソコンにおいて取得したものが該当する。ただし、著作権保護の観点から、転送の際には、さらに他の装置に転送された場合に再生することができないように、所定の変換が施される場合がある。
【０００３】
パソコンにおいて取得した楽曲ファイルを、パソコンから楽曲再生装置へ転送する際には、ＵＳＢやＩＥＥＥ１３９４シリアルバス等により両者が接続され、パソコンにおいて所定の転送用プログラムが起動される。パソコンにおいて取得した楽曲ファイルは必要に応じて、該転送用プログラムの管理下にある所定のフォルダへ移動される。そして、転送用プログラムにより、楽曲再生装置への転送を希望する楽曲データが特定され、転送指令ボタンの押下に応じて該転送が行われる。
【０００４】
【特許文献１】特開２００６−２２８０８６号公報
【発明の開示】
【発明が解決しようとする課題】
【０００５】
しかしながら、上述の従来技術によれば、パソコンから楽曲再生装置への楽曲ファイルの転送に際し、ユーザは転送したい楽曲ファイルを転送用プログラムの管理下にある所定のフォルダへ移したり、転送用プログラムを起動させたり、転送用プログラムにおいて転送を希望する楽曲ファイルを特定したり、転送指令ボタンを押下したりする必要がある。したがって、コンテンツ配信サービス等により取得した楽曲ファイルをそのまま直ちにコンテンツ再生装置へ転送することができず、転送するまでに手間がかかるという問題がある。
【０００６】
本発明の目的は、このような従来技術の問題点に鑑み、楽曲再生装置へ転送したい楽曲ファイルが、眼前のフォルダ内容の一覧画面において表示されているような情況にあるとき、その楽曲ファイルについての楽曲再生装置への転送を容易かつ迅速に行うことができるようにする技術を提供することにある。
【課題を解決するための手段】
【０００７】
第１の発明に係る情報処理装置は、コンテンツファイルを記憶する記憶手段を備え、前記記憶手段に記憶されているコンテンツファイルのうち所定のものについて、接続されているコンテンツ再生装置に対する転送を行う転送手段として所定のプログラムにより機能する情報処理装置に関する。そして、この情報処理装置は、上記目的を達成するために、前記記憶手段に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェースを備え、前記転送手段は、該第１及び第２指示があったとき、該所望のコンテンツファイルについて、前記コンテンツ再生装置に対する転送を行うものであることを特徴とする。
【０００８】
ここで、情報処理装置としては、たとえばパーソナルコンピュータが該当する。コンテンツファイルとしては、たとえば、リッピングやコンテンツ配信サービスにより取得されたＭＰ３形式やＷＭＡ形式による楽曲ファイルが該当する。コンテンツファイルのうち所定のものとしては、たとえば、前記所定プログラムによるインタフェース画面においてユーザによって指定されたコンテンツファイルや、コンテンツ再生装置との同期をとるために転送することが必要なコンテンツファイルが該当する。コンテンツ再生装置としては、たとえばハードディスクや半導体メモリを備えた携帯用の楽曲再生装置が該当する。プログラムに関連付けられたアイコンとしては、たとえば該プログラムのアイコンや、ファイル名の表示、ショートカットアイコンが該当する。
【０００９】
この構成において、情報処理装置は、所定のプログラムによって実現される転送手段により、記憶手段に記憶されているコンテンツファイルのうちユーザが指定するコンテンツファイルや、ユーザによる同期の指示に応じて転送することが必要なコンテンツファイルを、接続されているコンテンツ再生装置に対して転送する。一方、記憶手段に記憶されている所望のコンテンツファイルについて、前記第１及び第２の操作があった場合においても、そのコンテンツファイルを、コンテンツ再生装置に転送する。この第１及び第２の操作は、グラフィカルユーザインタフェースにより、該所望コンテンツファイルについての所定の操作による第１の指示、及びそれに引き続く前記所定プログラムに関連付けられたアイコン又は選択項目についての所定の操作による第２の指示を行うだけで完了する。したがって、コンテンツ再生装置へ転送したいコンテンツファイルが、眼前のフォルダ内容の一覧画面において表示されているような情況にあるとき、そのようなコンテンツファイルについては、前記第１及び第２の指示を行うだけで、コンテンツ再生装置へ転送することができる。なお、コンテンツファイルの転送に際しては、必要に応じて、プログラムが管理するデータベースへのコンテンツファイルの登録や、再転送先でのコンテンツファイルの再生を防止するための暗号化等の処理が行われる。
【００１０】
第２の発明に係る情報処理装置は、第１発明において、前記グラフィカルユーザインタフェースは、前記いずれかのコンテンツファイルについての前記プログラムのアイコンに対するドラッグアンドドロップ操作により、前記第１及び第２の指示の受入れを行うものであることを特徴とする。このようなドラッグアンドドロップによってファイルをプログラムによる処理に供する機能は、たとえばＯＳの機能の一部として、アプリケーションプログラムインタフェースにより提供される。
【００１１】
第３の発明に係る情報処理装置は、記憶装置に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェースを備えた情報処理装置から転送されてくるコンテンツファイルを受信する受信手段と、前記受信手段により受信したコンテンツファイルを記憶する記憶手段と、前記記憶手段において記憶されているコンテンツファイルのうち、指示されたものを再生する再生手段と、前記情報処理装置における第１及び第２の指示に基づいて転送されてくるコンテンツファイルについては、前記記憶手段において、他のコンテンツファイルとは異なる所定のフォルダに格納する格納手段と、前記フォルダ中のコンテンツファイルのうち、前記再生手段による再生対象とするものの指示を受け入れる指示受入れ手段とを具備することを特徴とする。
【００１２】
第４の発明に係るコンテンツ転送プログラムは、記憶手段に記憶されているコンテンツファイルのうち所定のものについて、接続されているコンテンツ再生装置に対する転送を行う転送手段としてコンピュータを機能させる第１のプログラム、並びに、前記記憶手段に記憶されている所望のコンテンツファイルについての所定の操作による第１の指示及びそれに引き続く前記第１プログラムに関連付けられたアイコン又は選択項目についての所定の操作による第２の指示を受け入れるためのグラフィカルユーザインタフェースとして前記コンピュータを機能させる第２のプログラムを具備し、前記転送手段は、該第１及び第２指示があったとき、該所望のコンテンツファイルについて、前記コンテンツ再生装置に対する転送を行うものであるすることを特徴とする。
【００１３】
第５の発明に係るコンテンツ再生プログラムは、コンピュータを、記憶装置に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェースを備えた情報処理装置から転送されてくるコンテンツファイルを受信する受信手段、前記受信手段により受信したコンテンツファイルを記憶する記憶手段、前記記憶手段において記憶されているコンテンツファイルのうち、指示されたものを再生する再生手段、前記情報処理装置における第１及び第２の指示に基づいて転送されてくるコンテンツファイルについては、前記記憶手段において、他のコンテンツファイルとは異なる所定のフォルダに格納する格納手段、及び、前記フォルダ中のコンテンツファイルのうち、前記再生手段による再生対象とするものの指示を受け入れる指示受入れ手段として機能させることを特徴とする。
【００１４】
第６の発明に係るコンテンツ転送方法は、コンピュータにおいて、コンテンツファイルを記憶する記憶工程と、所定のプログラムに従い、前記記憶手段に記憶されているコンテンツファイルのうち所定のものについて、接続されているコンテンツ再生装置に対する転送を行う転送工程と、所定のグラフィカルユーザインタフェースにより、前記記憶工程において記憶された所望のコンテンツファイルについての所定の操作による第１の指示、及びそれに引き続く前記プログラムに関連付けられたアイコン又は選択項目についての所定の操作による第２の指示を受け入れる指示受入れ工程と、前記指示受入れ工程における前記第１及び第２指示の受入れに応答して、該所望のコンテンツファイルについて、前記コンテンツ再生装置に対する転送を行う転送工程とを具備することを特徴とする。
【００１５】
第７の発明に係るコンテンツ再生方法は、コンピュータにおいて、記憶装置に記憶されている所望のコンテンツファイルについての所定の操作による第１の指示、及びそれに引き続く前記プログラムに関連付けられたアイコン又は選択項目についての所定の操作による第２の指示を受け入れるためのグラフィカルユーザインタフェースを備えた情報処理装置から転送されてくるコンテンツファイルを受信する受信工程と、前記受信工程において受信したコンテンツファイルを記憶装置において記憶する記憶工程と、前記記憶装置に記憶されたコンテンツファイルのうち、指示されたものを再生する再生工程と、前記情報処理装置における第１及び第２の指示に基づいて転送されてくるコンテンツファイルについては、前記記憶装置において、他のコンテンツファイルとは異なる所定のフォルダに格納する格納工程と、前記フォルダ中のコンテンツファイルのうち、再生対象とするものの指示を受け入れる指示受入れ工程とを具備することを特徴とする。
【発明の効果】
【００１６】
本発明によれば、いずれかのコンテンツファイルについての所定の操作による第１の指示、及びそれに引き続く所定のプログラムに関連付けられたアイコン又は選択項目についての所定の操作による第２の指示があったとき、該コンテンツファイルについて、コンテンツ再生装置に対する転送を、前記プログラムによる転送手段によって行うようにしたため、コンテンツ再生装置へ転送したいコンテンツファイルが、眼前のフォルダ内容の一覧画面において表示されているような情況にあるときでも、そのようなコンテンツファイルについては、第１及び第２の指示を行うだけで、前記プログラムによる転送手段が提供するファイル形式の変換や、暗号化の機能を利用しながら、容易かつ迅速にコンテンツ再生装置へ転送することができる。したがって、配信サービス等によって取得した楽曲ファイルを、前記プログラムが管理するフォルダに移したり、前記プログラムのインタフェース画面において転送を希望するコンテンツファイルを他の多くのコンテンツファイルから選別して指定したりする必要なく、直ちに所望のコンテンツファイルをコンテンツ再生装置に転送することができる。
【００１７】
特に、配信サービスによって取得したコンテンツファイルを前記プログラムが管理するフォルダに移し、該取得したファイルを前記プログラムのインタフェース画面において指定して、コンテンツ再生装置へ転送しようとする場合、該インタフェース画面においては他のリッピング等によって取得したコンテンツファイルと区別することができず、該コンテンツファイルの指定が困難な場合があるが、本発明によれば、該配信サービスによって取得したコンテンツファイルについて、第１及び第２の操作を行うだけで、該インタフェース画面を表示させる必要なく、容易かつ迅速にコンテンツ再生装置への転送を行うことができる。
【００１８】
また、グラフィカルユーザインタフェースとして、いずれかのコンテンツファイルについての前記プログラムのアイコンに対するドラッグアンドドロップにより、第１及び第２の指示の受入れを行うものを採用したため、ＯＳが有するアプリケーションインタフェースを用いて、容易に第１及び第２の指示の受入れを行うようにすることができる。
【００１９】
また、情報処理装置における第１及び第２の指示に基づいて転送されてくるコンテンツファイルについては、他のコンテンツファイルとは異なる所定のフォルダに格納するようにしたため、ドラッグアンドドロップ等により直ちに転送されてきたコンテンツファイルを直ちに指示して再生させることができる。
【発明を実施するための最良の形態】
【００２０】
図１は、本発明の一実施形態に係る楽曲再生装置の構成を示すブロック図である。同図に示すようにこの装置は、装置各部の制御や各種情報の処理を行う制御部１１、制御部１１によってアクセスされるハードディスク１２、制御部１１の制御により各種情報の表示を行う表示部１３、制御部１１に対してユーザが操作入力を行うための入力部１４、制御部１１からの音声信号を音波に変換して出力する音声出力部１５、及びＵＳＢにより他の装置との間で信号の送受を行うためのＵＳＢインタフェース１６を備える。
【００２１】
ハードディスク１２には、楽曲の再生に用いられる音楽ファイル等が格納される。制御部１１は所定のプログラムに従い、ハードディスク１２中のデータを参照しながら、入力部１４及び表示部１３を用いたユーザインタフェース機能や、該機能を介して指定された楽曲の再生等を行う。
【００２２】
図１の楽曲再生装置は、本発明の一実施形態に係る情報処理装置に接続し、この情報処理装置から楽曲ファイルの転送を受けることができる。この情報処理装置の構成図としては、図１をそのまま使用することができる。両装置間の接続は、ＵＳＢインタフェース１６を介し、ＵＳＢケーブルによって行われる。
【００２３】
この情報処理装置は、ハードディスクにおいて楽曲ファイルを記憶し、記憶している楽曲ファイルのうち所定のものについて、接続されている楽曲再生装置に対する転送を行う転送手段を備える。この転送手段は、所定の転送用プログラムを用いて構成されている。転送される所定の楽曲ファイルとしては、たとえば、転送用プログラムによるインタフェース画面においてユーザによって指定された楽曲ファイルや、楽曲再生装置との同期をとるために転送することが必要な楽曲ファイルが該当する。以下、このようにして行う転送を「非ダイレクト転送」ともいう。
【００２４】
この情報処理装置はまた、記憶しているいずれかの楽曲ファイルについての所定の操作による第１の指示、及びそれに引き続く転送用プログラムに関連付けられたアイコンについての所定の操作による第２の指示を受け入れるためのグラフィカルユーザインタフェース機能を備える。具体的には、図２に示すように、所定のフォルダ内の楽曲ファイルのリストを表示したウィンドウ２１内に表示されている所望の楽曲ファイルたとえば「楽曲３」を、マウスの左クリックによって図形２２で示されるようにして指示し（第１の指示）、これを図形２３のようにしてドラッグし、そして図形２４で示されるように転送用プログラムのショートカットアイコン２５上でドロップする（第２の指示）ことによって前記第１及び第２の指示を行うことができるようになっている。この第１及び第２の指示があったとき、該所望の楽曲ファイルは転送プログラムによって直ちに楽曲再生装置に転送される。このようにして、第１及び第２の指示に基づいて行われる転送を、以下、「ダイレクト転送」ともいう。
【００２５】
図３は楽曲再生装置の前面を示す。同図において、３１は表示部１３を構成する液晶ディスプレイの画面、３２は入力部１４を構成する操作キー、３３は同様に入力部１４を構成するメニューキー、３４は音声出力部１５を構成するヘッドホンである。操作キー３２は中央に位置する中央キーＭ、上部に位置する上キーＵ、下部に位置する下キーＤ、右側に位置する右キーＲ、及び左側に位置する左キーＬの５つのキーを備える。それぞれタクトスイッチで構成されている。特に上キーＵ及び下キーＤはそれぞれ、軽く押下する軽押し及び強く押下する強押しにより２段階で動作するタクトスイッチで構成されている。つまり、上キーＵ及び下キーＤはそれぞれ、１つのキーで軽押し及び強押しによる２種類の操作入力を行うことができるようになっている。
【００２６】
メニューキー３３は、各種動作モード設定用の選択項目を上下方向に並べて表示したメニュー画面を表示させるために用いることができる。上キーＵ及び下キーＤは、各種メニュー画面における選択項目の選択を行うために用いることができる。再生装置は、上キーＵ又は下キーＤが押下されると、選択中の項目を示すカーソルを、メニューの上方向又は下方向に移動させる。その際、選択項目数が多い場合には、必要に応じて、メニュー表示を上下方向にスクロールさせる。上キーＵ又は下キーＤの押下によるカーソル移動やメニュー表示のスクロールの速度は、軽押しの場合に遅く、強押しの場合に早い。右キーＲは選択中の項目に関連する下位の画面を表示させるために用いることができる。
【００２７】
図４は楽曲再生装置のハードディスクに記録されている楽曲を区分する方法の一例を示す。各楽曲の楽曲ファイルに付随するアルバム名、アーティスト名、ジャンル名等の情報に基づき、同図のように、各楽曲はアルバム毎に区分することができる。また、各アルバムはアーティスト毎に区分し、各アーティストはジャンル毎に区分することができる。すなわち、ジャンル、アーティスト、アルバム、及び楽曲を各階層のカテゴリとする階層構造を形成することができる。階層構造としては図４の例の他、音楽ファイルに付随するアルバム名、アーティスト名、ジャンル名等の情報を用いて形成し得る種々の形態のものを採用することができる。たとえば、カテゴリ要素として全楽曲が含まれる楽曲カテゴリのみの階層かなる階層構造や、カテゴリ要素として全アーティストが含まれるアーティストカテゴリの階層、及びその下の階層としての各アーティスト毎に区分された楽曲カテゴリの階層からなる階層構造を採用してもよい。
【００２８】
図５は画面３１に表示されたホーム画面を示す。この画面上には「アーティスト」、「アルバム」、「ジャンル」等のカテゴリ名が表示されており、いずれかのカテゴリを選択して右キーＲを押下することにより、そのカテゴリの階層から始めて、図４のような階層構造に従い、所望の階層のカテゴリにおける要素の検索を行うことができるようになっている。
【００２９】
たとえば、図５のホーム画面において「アーティスト」にカーソルが位置付けられ、「アーティスト」が選択された状態において、右キーＲが押下されると、楽曲再生装置は、図４の例に従えば、「アーティストＡ」、「アーティストＢ」・・・を選択項目とするアーティストの一覧画面を表示する。この画面において、上キーＵ及び下キーＤの操作により「アーティストＢ」が選択され、右キーＲが押下されると、アーティストＢに属する「アルバムｂ」及び「アルバムｃ」を選択項目とするアルバムの一覧画面を表示する。この画面においてアルバムｃが上キーＵ及び下キーＤの操作により選択され、右キーＲが押下されると、「楽曲１２」、「楽曲１３」・・・「楽曲２６」を選択項目とする楽曲の一覧画面を表示する。この画面においては、上キーＵ及び下キーＤの操作により、表示された楽曲のうちのいずれかを選択することができる。
【００３０】
また、このようにして所望の階層のカテゴリにおける選択要素を検索し、選択することにより、再生範囲や再生開始位置を指定することができるようになっている。たとえばアーティストＢが選択され、中央キーＭが押下された場合には、楽曲再生装置は、設定に応じ、アーティストＢに属する全アルバムの全楽曲を再生し、又はアーティストＢに属する最初のアルバムｂの楽曲６から再生を開始する。
【００３１】
図６は図４の例におけるアルバムｃが選択され、右キーＲが押下された場合に、画面３１上に表示される楽曲の一覧画面、すなわち楽曲選択用のメニュー画面を示す。同図に示すように、このメニュー画面には、画面３１の上部において、アルバムｃのアルバム名「アルバムｃ」及びこれに関連付けられたアルバムジャケットの画像５１が表示される。この表示の下の一覧表示領域６１においては、選択項目としての楽曲の一覧が表示されている。楽曲一覧として、同図においては、楽曲１２〜１６の楽曲名「楽曲１２」、「楽曲１３」・・・「楽曲１６」とともに、それぞれに関連付けられた画像５２〜５６が、各楽曲名に付随させて表示されている。
【００３２】
図６においては、楽曲１４が選択されている様子が示されている。すなわち、同図のメニュー画面の初期状態において楽曲１２の位置に位置していたカーソル６３が、下キーＤの軽押しにより、楽曲１４の位置に位置付けられたときの様子である。このように、選択されている楽曲については、付随する画像が拡大して表示され、楽曲名等の文字が明るい配色で表示され、演奏時間に関する情報が追加表示される。なお、下キーＤの軽押しが継続され、カーソル６３が一覧表示領域６１における下端の選択項目の１つ手前の選択項目に到達した後は、楽曲一覧が下方へ向けてスクロールされ、順次、楽曲１７、楽曲１８・・・の順で、それらについての選択項目としての表示が現れ、選択がなされてゆくことになる。なおスクロール中のカーソル６３の位置としては、上記下端項目の１つ手前の項目位置に限らず、たとえば、一覧表示領域６１の中間の位置を採用するようにしてもよい。
【００３３】
図７は情報処理装置の制御部による処理の一部を示すフローチャートである。この処理では、制御部は、ステップ７１において、図２に示すような、所定形式の楽曲ファイルについての転送用プログラムに対するドラッグアンドドロップ操作がなされたか否かの検出を行っている。所定形式の楽曲ファイルとは、楽曲再生装置において再生可能な形式の楽曲ファイルを意味する。該操作がなされた旨を検出すると、ステップ７２において、ドラッグされた楽曲ファイルに関する情報を転送用プログラムに与え、制御を転送用プログラムに移行させ、図７の処理を終了する。転送用プログラムは、起動していなければ、起動されることになる。ただし、通常の方法による起動の場合とは異なり、ユーザインタフェース画面が表示されることはない。
【００３４】
制御が転送用プログラムに移行されると、転送用プログラムに従い、制御部は、ドラッグアンドドロップ操作がなされた楽曲ファイルを、ダイレクト転送である旨を示すフラグを付して楽曲再生装置に転送する。ただし、楽曲再生装置が接続されていない場合には、その旨のメッセージを表示し、接続を促す。接続が検出されるまで、当該楽曲ファイルの転送を保留し、転送が検出された時点で転送を開始するようにしてもよい。転送中に、転送の進行の様子を示すプログレッシブバーを表示するようにしてもよい。転送に際しては、転送対象楽曲ファイルを転送用プログラムが管理するフォルダへ登録する処理や、非ダイレクト転送の場合と同様に、暗号化等の処理が併せて行われる。
【００３５】
図８は楽曲再生装置の制御部による転送受入れ処理を示すフローチャートである。この処理においては、制御部は、ステップ１０１において、接続されている情報処理装置からの楽曲データの転送の有無を検出している。楽曲データの転送を検出すると、ステップ１０２へ進み、転送された楽曲ファイルがダイレクト転送によるものか否かを判定する。ダイレクト転送によるものであると判定した場合には、ステップ１０３において、転送されてくる楽曲フォルダを、ダイレクト転送により転送された楽曲ファイルを格納するための所定のフォルダに格納する。ダイレクト転送ではないと判定した場合には、該フォルダとは異なる、たとえば図４のような階層構造を呈する各フォルダにおける該当する箇所に格納される。
【００３６】
前記所定のフォルダに格納された楽曲ファイルは、たとえば図５に示すようなホーム画面における選択項目として、「ダイレクト転送」を設け、これを選択することにより直ちにリスト表示されるようにしておくことによって、直ちに再生させることができる。
【００３７】
本実施形態によれば、所望の楽曲ファイルについての所定の操作による第１の指示、及びそれに引き続く転送用のプログラムに関連付けられたアイコン又は選択項目についての所定の操作による第２の指示があったとき、該所望の楽曲ファイルについて、楽曲再生装置に対する転送を行うようにしたため、楽曲再生装置へ転送したい楽曲ファイルが、眼前のフォルダ内容の一覧画面において表示されているような情況にあるとき、そのような楽曲ファイルについては、第１及び第２の指示を行うだけで、容易かつ迅速に楽曲再生装置へ転送することができる。
【００３８】
また、グラフィカルユーザインタフェースとして、いずれかの楽曲ファイルについての転送用プログラムのアイコンに対するドラッグアンドドロップにより、第１及び第２の指示の受入れを行うものを採用したため、ＯＳが有するアプリケーションインタフェースを用いて、容易に第１及び第２の指示の受入れを行うようにすることができる。
【００３９】
また、ダイレクト転送により転送されてくる楽曲ファイルについては、非ダイレクト転送により転送されてくる楽曲ファイルとは異なる所定のフォルダに格納するようにしたため、ダイレクト転送により転送されてきた楽曲ファイルを直ちに指示して再生させることができる。
【００４０】
なお、本発明は上述の実施形態に限定されることなく適宜変形して実施することができる。たとえば、上述においては、楽曲ファイルや関連図形を格納するためにハードディスクを用いているが、この代わりに半導体メモリを用いるようにしてもよい。
【００４１】
また上述においては特に言及しなかったが、ダイレクト転送に際し、楽曲ファイルを所定のファイル形式に変換するか、同一名の楽曲ファイルが存在する場合に上書きするかといったような設定については、転送用プログラムを起動させ、該プログラムのインタフェース画面において行うようにすることができる。
【００４２】
また、上述においては、楽曲コンテンツを対象とした場合について説明したが、これに限らず、ビデオコンテンツについても、本願発明を適用することができる。
【００４３】
また、上述においては、ダイレクト転送においては転送用プログラムによるユーザインタフェース画面は表示されないものとしているが、この代わりに、簡略化したインタフェーフェース画面を表示するようにしてもよい。
【図面の簡単な説明】
【００４４】
【図１】本発明の一実施形態に係る携帯型の楽曲再生装置及び情報処理装置の構成を示すブロック図である。
【図２】図１の情報処理装置におけるグラフィカルユーザインタフェース機能によるドラッグアンドドロップ操作を示す図である。
【図３】図１の楽曲再生装置の前面を示す図である。
【図４】図１の装置のハードディスクに記録されている楽曲を区分する方法の一例を示す図である。
【図５】図１の装置におけるホーム画面を示す図である。
【図６】図４の例におけるアルバムｃが選択され、右キーＲが押下された場合に表示される楽曲選択用のメニュー画面を示す図である。
【図７】図１の情報処理装置の制御部による処理の一部を示すフローチャートである。
【図８】図１の楽曲再生装置の制御部による転送受入れ処理を示すフローチャートである。。
【符号の説明】
【００４５】
１１：制御部、１２：ハードディスク、１３：表示部、１４：入力部、１５：音声出力部、１６：ＵＳＢインタフェース、２１:ウィンドウ、２２〜２４：図形、２５：ショートカットアイコン、３１：画面、３２：操作キー、３３：メニューキー、３４：ヘッドホン、Ｍ：中央キー、Ｒ：右キー、Ｌ：左キー、Ｕ：上キー、Ｄ：下キー、５１〜５６：画像、６１：一覧表示領域、６３：カーソル。
【図１】
2008071193.tif 000003
【図２】
2008071193.tif 000004
【図３】
2008071193.tif 000005
【図４】
2008071193.tif 000006
【図５】
2008071193.tif 000007
【図６】
2008071193.tif 000008
【図７】
2008071193.tif 000009
【図８】
2008071193.tif 000010